(57)【要約】【課題】装置の異常をより正確に判断することのできる管理装置、管理システムおよび管理プログラムを提供する。【解決手段】管理装置は、施設の環境に関する環境情報、および前記施設に設けられた施設側装置による発電、電力消費または蓄電の実績量を示す実績量情報を取得する取得部と、前記取得部により取得された、過去の前記環境情報、過去の前記実績量情報および現在の前記環境情報に基づいて、前記施設側装置の発電、電力消費または蓄電の想定量を算出する想定量算出部と、前記取得部により取得された現在の前記実績量情報の示す前記実績量と、前記想定量算出部により算出された前記想定量とを比較し、比較結果に基づいて前記施設側装置の異常の判断を行う異常判断部とを備える。【選択図】図１
2018038205.tif 000002
【特許請求の範囲】
【請求項１】
施設の環境に関する環境情報、および前記施設に設けられた施設側装置による発電、電力消費または蓄電の実績量を示す実績量情報を取得する取得部と、
前記取得部により取得された、過去の前記環境情報、過去の前記実績量情報および現在の前記環境情報に基づいて、前記施設側装置の発電、電力消費または蓄電の想定量を算出する想定量算出部と、
前記取得部により取得された現在の前記実績量情報の示す前記実績量と、前記想定量算出部により算出された前記想定量とを比較し、比較結果に基づいて前記施設側装置の異常の判断を行う異常判断部とを備える、管理装置。
【請求項２】
前記異常判断部は、現在の前記実績量情報の示す前記実績量と、前記想定量との差がしきい値以上である場合、前記施設側装置が異常であると判断し、
前記しきい値は、過去の前記実績量情報の示す前記実績量に基づく値である、請求項１に記載の管理装置。
【請求項３】
前記しきい値は、現在時刻が含まれる時間帯ごとに設定される、請求項２に記載の管理装置。
【請求項４】
前記管理装置は、さらに、
前記施設側装置による発電、電力消費または蓄電の制御に関する制御情報を作成する制御情報処理部を備え、
前記しきい値は、前記制御情報処理部により作成された前記制御情報の示す制御レベルごとに設定される、請求項２または請求項３に記載の管理装置。
【請求項５】
前記想定量は、現在時刻が含まれる時間帯に応じた値に算出される、請求項１から請求項４のいずれか１項に記載の管理装置。
【請求項６】
前記管理装置は、さらに、
前記施設側装置による発電、電力消費または蓄電の制御に関する制御情報を作成する制御情報処理部を備え、
前記想定量は、前記制御情報処理部により作成された前記制御情報の示す制御レベルに応じた値に算出される、請求項１から請求項５のいずれか１項に記載の管理装置。
【請求項７】
発電、電力消費または蓄電を行う施設側装置と、
前記施設側装置の管理を行う管理装置とを備え、
前記管理装置は、前記施設側装置が設けられた施設の環境に関する環境情報、および前記施設側装置による発電、電力消費または蓄電の実績量を示す実績量情報を前記施設側装置から取得し、前記施設側装置から取得した過去の前記環境情報、過去の前記実績量情報および現在の前記環境情報に基づいて、前記施設側装置の発電、電力消費または蓄電の想定量を算出し、前記施設側装置から取得した現在の前記実績量情報の示す前記実績量と、算出した前記想定量とを比較し、比較結果に基づいて前記施設側装置の異常の判断を行う、管理システム。
【請求項８】
施設側装置の管理を行う管理装置において用いられる管理プログラムであって、
コンピュータを、
前記施設側装置が設けられた施設の環境に関する環境情報、および前記施設側装置による発電、電力消費または蓄電の実績量を示す実績量情報を取得する取得部と、
前記取得部により取得された過去の前記環境情報、過去の前記実績量情報および現在の前記環境情報に基づいて、前記施設側装置の発電、電力消費または蓄電の想定量を算出する想定量算出部と、
前記取得部により取得された現在の前記実績量情報の示す前記実績量と、前記想定量算出部により算出された前記想定量とを比較し、比較結果に基づいて前記施設側装置の異常の判断を行う異常判断部と、
として機能させるための、管理プログラム。
【発明の詳細な説明】
【技術分野】
【０００１】
本発明は、管理装置、管理システムおよび管理プログラムに関する。
【背景技術】
【０００２】
たとえば、経済産業省、”エネルギー・リソース・アグリゲーション・ビジネスの課題について”、［ｏｎｌｉｎｅ］、平成２８年１月２９日、エネルギー・リソース・アグリゲーション・ビジネス検討会（第１回）配布資料６、［平成２８年８月３日検索］、インターネット〈ＵＲＬ：ｈｔｔｐ：／／ｗｗｗ．ｍｅｔｉ．ｇｏ．ｊｐ／ｃｏｍｍｉｔｔｅｅ／ｋｅｎｋｙｕｋａｉ／ｅｎｅｒｇｙ＿ｅｎｖｉｒｏｎｍｅｎｔ／ｅｎｅｒｇｙ＿ｒｅｓｏｕｒｃｅ／ｐｄｆ／００１＿０６＿００．ｐｄｆ〉（非特許文献１）には、工場、オフィスまたは一般家庭などの電力需要施設における発電装置、蓄電池または負荷装置などのエネルギーリソースを遠隔から統合的に制御するための課題が記載されている。
【０００３】
このように、エネルギーリソースを遠隔から統合的に制御することにより、創エネルギー、蓄エネルギーおよび省エネルギーを最適に組み合わせて、再生可能エネルギーの導入の拡大、消費電力量の更なる抑制および電力負荷の平準化などが期待されている。また、エネルギーリソースを遠隔から統合的に制御する仕組みの導入により、電力需要施設におけるエネルギーリソースを有効に活用することが期待されている。
【先行技術文献】
【非特許文献】
【０００４】
【非特許文献１】経済産業省、”エネルギー・リソース・アグリゲーション・ビジネスの課題について”、［ｏｎｌｉｎｅ］、平成２８年１月２９日、エネルギー・リソース・アグリゲーション・ビジネス検討会（第１回）配布資料６、［平成２８年８月３日検索］、インターネット〈ＵＲＬ：ｈｔｔｐ：／／ｗｗｗ．ｍｅｔｉ．ｇｏ．ｊｐ／ｃｏｍｍｉｔｔｅｅ／ｋｅｎｋｙｕｋａｉ／ｅｎｅｒｇｙ＿ｅｎｖｉｒｏｎｍｅｎｔ／ｅｎｅｒｇｙ＿ｒｅｓｏｕｒｃｅ／ｐｄｆ／００１＿０６＿００．ｐｄｆ〉
【発明の概要】
【発明が解決しようとする課題】
【０００５】
ところで、発電装置、蓄電池または負荷装置などの装置に対する制御指示が通知された場合であっても、装置の故障などの原因により、当該制御指示に沿った結果が得られないことがある。そして、このように、制御指示に沿った結果が得られなかったことを、たとえば管理者側のサーバが検出できない場合、その原因を取り除くまでに長期間経過してしまうことがある。
【０００６】
また、当該制御指示に沿った結果が得られなかったことを上記サーバが検出できた場合であっても、装置の周辺の環境、制御のレベル、装置の故障または外部サーバからの不正なアクセスなど種々の原因が考えられるため、適切な対応ができないことがある。
【０００７】
この発明は、上述の課題を解決するためになされたもので、その目的は、装置の異常をより正確に判断することのできる管理装置、管理システムおよび管理プログラムを提供することである。
【課題を解決するための手段】
【０００８】
（１）上記課題を解決するために、この発明のある局面に係わる管理装置は、施設の環境に関する環境情報、および前記施設に設けられた施設側装置による発電、電力消費または蓄電の実績量を示す実績量情報を取得する取得部と、前記取得部により取得された、過去の前記環境情報、過去の前記実績量情報および現在の前記環境情報に基づいて、前記施設側装置の発電、電力消費または蓄電の想定量を算出する想定量算出部と、前記取得部により取得された現在の前記実績量情報の示す前記実績量と、前記想定量算出部により算出された前記想定量とを比較し、比較結果に基づいて前記施設側装置の異常の判断を行う異常判断部とを備える。
【０００９】
（７）上記課題を解決するために、この発明のある局面に係わる管理システムは、発電、電力消費または蓄電を行う施設側装置と、前記施設側装置の管理を行う管理装置とを備え、前記管理装置は、前記施設側装置が設けられた施設の環境に関する環境情報、および前記施設側装置による発電、電力消費または蓄電の実績量を示す実績量情報を前記施設側装置から取得し、前記施設側装置から取得した過去の前記環境情報、過去の前記実績量情報および現在の前記環境情報に基づいて、前記施設側装置の発電、電力消費または蓄電の想定量を算出し、前記施設側装置から取得した現在の前記実績量情報の示す前記実績量と、算出した前記想定量とを比較し、比較結果に基づいて前記施設側装置の異常の判断を行う。
【００１０】
（８）上記課題を解決するために、この発明のある局面に係わる管理プログラムは、施設側装置の管理を行う管理装置において用いられる管理プログラムであって、コンピュータを、前記施設側装置が設けられた施設の環境に関する環境情報、および前記施設側装置による発電、電力消費または蓄電の実績量を示す実績量情報を取得する取得部と、前記取得部により取得された過去の前記環境情報、過去の前記実績量情報および現在の前記環境情報に基づいて、前記施設側装置の発電、電力消費または蓄電の想定量を算出する想定量算出部と、前記取得部により取得された現在の前記実績量情報の示す前記実績量と、前記想定量算出部により算出された前記想定量とを比較し、比較結果に基づいて前記施設側装置の異常の判断を行う異常判断部と、として機能させるためのプログラムである。
【００１１】
本発明は、このような特徴的な処理部を備える管理装置として実現することができるだけでなく、かかる特徴的な処理をステップとする管理方法として実現することができる。また、管理装置の一部または全部を実現する半導体集積回路として実現することができる。
【００１２】
また、本発明は、このような特徴的な処理部を備える管理システムとして実現できるだけでなく、かかる特徴的な処理をステップとする管理方法として実現したり、かかるステップをコンピュータに実行させるためのプログラムとして実現したりすることができる。
【発明の効果】
【００１３】
本発明によれば、装置の異常をより正確に判断することができる。
【図面の簡単な説明】
【００１４】
【図１】図１は、本発明の実施の形態に係る管理システムの構成を示す図である。
【図２】図２は、本発明の実施の形態に係る管理装置の想定量算出部により算出される想定量の一例（その１）を示す図である。
【図３】図３は、本発明の実施の形態に係る管理装置の想定量算出部により算出される想定量の一例（その２）を示す図である。
【図４】図４は、本発明の実施の形態に係る管理装置の想定量算出部により算出される想定量の一例（その３）を示す図である。
【図５】図５は、本発明の実施の形態に係る管理装置の想定量算出部により算出される想定量の一例（その４）を示す図である。
【図６】図６は、本発明の実施の形態に係る管理装置の異常判断部により算出されるしきい値の一例を示す図である。
【図７】図７は、本発明の実施の形態に係る管理装置による全体の動作手順を定めたフローチャートである。
【図８】図８は、本発明の実施の形態に係る管理装置による異常判断処理の動作手順を定めたフローチャートである。
【発明を実施するための形態】
【００１５】
最初に、本発明の実施形態の内容を列記して説明する。
【００１６】
（１）本発明の実施の形態に係る管理装置は、施設の環境に関する環境情報、および前記施設に設けられた施設側装置による発電、電力消費または蓄電の実績量を示す実績量情報を取得する取得部と、前記取得部により取得された、過去の前記環境情報、過去の前記実績量情報および現在の前記環境情報に基づいて、前記施設側装置の発電、電力消費または蓄電の想定量を算出する想定量算出部と、前記取得部により取得された現在の前記実績量情報の示す前記実績量と、前記想定量算出部により算出された前記想定量とを比較し、比較結果に基づいて前記施設側装置の異常の判断を行う異常判断部とを備える。
【００１７】
ここで、環境を考慮せずに施設側装置の異常を判断する場合、施設側装置に異常が生じていないにも関わらず、日射量などの環境が測定値に大きく影響して、施設側装置に異常が生じていると判断されてしまう可能性がある。これに対して、上記のような構成により、たとえば環境による影響は異常として判断しないことで、施設側装置の故障または外部サーバからの不正なアクセスなどの異常をより正確に判断することができる。
【００１８】
（２）好ましくは、前記異常判断部は、現在の前記実績量情報の示す前記実績量と、前記想定量との差がしきい値以上である場合、前記施設側装置が異常であると判断し、前記しきい値は、過去の前記実績量情報の示す前記実績量に基づく値である。
【００１９】
このような構成により、たとえば、過去の実績量と想定量との差を基準とした適切な値を、しきい値とすることができる。
【００２０】
（３）好ましくは、前記しきい値は、現在時刻が含まれる時間帯ごとに設定される。
【００２１】
このような構成により、時間帯により変化する環境を考慮した、より正確な異常判断を行うことができる。
【００２２】
（４）好ましくは、前記管理装置は、さらに、前記施設側装置による発電、電力消費または蓄電の制御に関する制御情報を作成する制御情報処理部を備え、前記しきい値は、前記制御情報処理部により作成された前記制御情報の示す制御レベルごとに設定される。
【００２３】
このような構成により、たとえば制御レベルによる影響は異常として判断しないことで、施設側装置の異常をより正確に判断することができる。
【００２４】
（５）好ましくは、前記想定量は、現在時刻が含まれる時間帯に応じた値に算出される。
【００２５】
このような構成により、時間帯により変化する環境を考慮した適切な値を、想定量として算出することができる。
【００２６】
（６）好ましくは、前記管理装置は、さらに、前記施設側装置による発電、電力消費または蓄電の制御に関する制御情報を作成する制御情報処理部を備え、前記想定量は、前記制御情報処理部により作成された前記制御情報の示す制御レベルに応じた値に算出される。
【００２７】
このような構成により、制御レベルを考慮した適切な値を、想定量として算出することができる。
【００２８】
（７）本発明の実施の形態に係る管理システムは、発電、電力消費または蓄電を行う施設側装置と、前記施設側装置の管理を行う管理装置とを備え、前記管理装置は、前記施設側装置が設けられた施設の環境に関する環境情報、および前記施設側装置による発電、電力消費または蓄電の実績量を示す実績量情報を前記施設側装置から取得し、前記施設側装置から取得した過去の前記環境情報、過去の前記実績量情報および現在の前記環境情報に基づいて、前記施設側装置の発電、電力消費または蓄電の想定量を算出し、前記施設側装置から取得した現在の前記実績量情報の示す前記実績量と、算出した前記想定量とを比較し、比較結果に基づいて前記施設側装置の異常の判断を行う。
【００２９】
ここで、環境を考慮せずに施設側装置の異常を判断する場合、施設側装置に異常が生じていないにも関わらず、日射量などの環境が測定値に大きく影響して、施設側装置に異常が生じていると判断されてしまう可能性がある。これに対して、上記のような構成により、たとえば環境による影響は異常として判断しないことで、施設側装置の故障または外部サーバからの不正なアクセスなどの異常をより正確に判断することができる。
【００３０】
（８）本発明の実施の形態に係る管理プログラムは、施設側装置の管理を行う管理装置において用いられる管理プログラムであって、コンピュータを、前記施設側装置が設けられた施設の環境に関する環境情報、および前記施設側装置による発電、電力消費または蓄電の実績量を示す実績量情報を取得する取得部と、前記取得部により取得された過去の前記環境情報、過去の前記実績量情報および現在の前記環境情報に基づいて、前記施設側装置の発電、電力消費または蓄電の想定量を算出する想定量算出部と、前記取得部により取得された現在の前記実績量情報の示す前記実績量と、前記想定量算出部により算出された前記想定量とを比較し、比較結果に基づいて前記施設側装置の異常の判断を行う異常判断部と、として機能させるためのプログラムである。
【００３１】
ここで、環境を考慮せずに施設側装置の異常を判断する場合、施設側装置に異常が生じていないにも関わらず、日射量などの環境が測定値に大きく影響して、施設側装置に異常が生じていると判断されてしまう可能性がある。これに対して、上記のような構成により、たとえば環境による影響は異常として判断しないことで、施設側装置の故障または外部サーバからの不正なアクセスなどの異常をより正確に判断することができる。
【００３２】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００３３】
＜構成および基本動作＞
［管理システム］
図１は、本発明の実施の形態に係る管理システムの構成を示す図である。
【００３４】
図１を参照して、管理システム２０１は、管理装置１０１と、施設側装置１０２とを備える。
【００３５】
施設側装置１０２は、たとえば、太陽光発電所および風力発電所等の発電施設に設けられた発電装置であり、発電事業者により運用される。また、施設側装置１０２は、たとえば、再生可能エネルギーから電気を生成する太陽光発電装置または風力発電装置である。
【００３６】
また、施設側装置１０２は、たとえば、ビル、工場および一般家庭等の電力需要施設に設けられた空調機などの負荷装置または蓄電装置であってもよい。
【００３７】
管理装置１０１は、たとえばアグリゲータ等の配信事業者によって運用され、１または複数の施設側装置１０２と通信を行なうことにより、施設側装置１０２による発電、電力消費または蓄電を管理する。
【００３８】
具体的には、管理装置１０１は、たとえば、管理者による制御指示の入力を受け付け、受け付けた制御指示に基づいて、施設側装置１０２の動作を制御するための制御情報を作成する。そして、管理装置１０１は、作成した制御情報を、通信網１０３経由で施設側装置１０２へ送信する。
【００３９】
管理装置１０１により作成される制御情報には、施設側装置１０２の動作を制御する期間である制御期間の開始タイミングおよび長さ、施設側装置１０２の発電容量、消費電力量または蓄電容量を基準とした制御レベル等が含まれる。また、制御情報には、制御期間の長さの代わりに制御期間の終了タイミングが含まれてもよい。
【００４０】
施設側装置１０２は、管理装置１０１から受信した制御情報の内容に基づいて動作することにより、自己の発電、電力消費または蓄電を制御する。
【００４１】
［管理装置］
管理装置１０１は、制御情報処理部１１と、記憶部１２と、制御情報送信部１３と、情報取得部１４と、想定量算出部１５と、異常判断部１６と、通知部１７とを含む。
【００４２】
制御情報処理部１１は、たとえば管理者による制御指示の入力を受け付け、受け付けた制御指示に基づいて制御情報を作成する。そして、制御情報処理部１１は、作成した制御情報を、記憶部１２に保存する。また、制御情報処理部１１は、作成した制御情報を、制御情報送信部１３へ出力する。
【００４３】
制御情報送信部１３は、制御情報処理部１１から制御情報を受けると、当該制御情報を、通信網１０３経由で施設側装置１０２へ送信する。
【００４４】
情報取得部１４は、施設側装置１０２による発電、電力消費または蓄電の実績量を示す実績量情報、および、施設側装置１０２が設けられた施設の環境に関する環境情報を、通信網１０３経由で施設側装置１０２から取得する。
【００４５】
環境情報は、たとえば、施設側装置１０２の周辺の温度、湿度、日射量および天候のうちの少なくとも１つを示す。なお、温度、湿度、日射量および天候の各々を、「環境」とも称する。
【００４６】
具体的には、情報取得部１４は、施設側装置１０２から１時間ごとに送信される実績量情報および環境情報を受信する。実績量情報には、たとえば、施設側装置１０２により発電、電力消費または蓄電された電力の１分ごとの計測結果が１時間分含まれる。環境情報には、たとえば、日射量の１分ごとの計測結果が１時間分含まれる。
【００４７】
そして、情報取得部１４は、たとえば、施設側装置１０２から取得した実績量情報および環境情報、ならびに、これらの情報を施設側装置１０２から取得した時刻を示す時刻情報の組を、記憶部１２に保存する。
【００４８】
なお、情報取得部１４は、施設側装置１０２から環境情報を取得する代わりに、たとえば、インターネット上のウェブサイトから、施設側装置１０２の設けられた施設の周辺の環境に関する環境情報を取得してもよい。
【００４９】
しかしながら、インターネット上のウェブサイトから得られる環境情報よりも、施設側装置１０２から得られる環境情報の方が、施設側装置１０２の周辺の環境をより正確に示している可能性が高い。このため、情報取得部１４は、施設側装置１０２から環境情報を取得する構成であることが好ましい。
【００５０】
記憶部１２には、データベースが保存され、当該データベースに、制御情報処理部１１から受けた制御情報、ならびに、情報取得部１４から受けた実績量情報、環境情報および時刻情報が登録されている。
【００５１】
ここで、たとえば、施設側装置１０２が発電装置であるとすると、発電装置の周辺の日射量が多い場合と少ない場合とでは、発電の実績量に差が生じる。
【００５２】
また、たとえば、施設側装置１０２が空調機であるとすると、空調機の周辺の温度と当該空調機の設定温度との差が大きい場合と小さい場合とでは、電力消費の実績量に差が生じる。
【００５３】
また、たとえば、施設側装置１０２が蓄電装置であるとすると、蓄電装置のバッテリーの温度が高い場合と低い場合とでは、蓄電の実績量に差が生じる。
【００５４】
このように、施設側装置１０２の周辺の環境と、施設側装置１０２による発電、電力消費または蓄電の実績量とは相関がある。このため、想定量算出部１５は、たとえば、過去に計測された環境および実績量に基づいて、環境および実績量の相関を示す相関情報を作成し、作成した相関情報および現在の環境に基づいて、施設側装置１０２による現在の発電、電力消費または蓄電の想定量を算出することができる。
【００５５】
具体的には、想定量算出部１５は、たとえば、記憶部１２に保存されている情報のうち、過去のある期間に取得された環境情報、実績量情報および時刻情報の複数の組を読み出す。
【００５６】
なお、ある期間は、たとえば１週間または１ヶ月である。以下、当該期間を「学習期間」と称する。
【００５７】
そして、想定量算出部１５は、読み出したこれらの情報のうち、たとえば環境情報および実績量情報を用いて、環境と実績量との相関係数を相関情報として算出する。
【００５８】
また、想定量算出部１５は、たとえば、記憶部１２に保存されている現在の環境情報、実績量情報および時刻情報の組を読み出す。
【００５９】
ここで、現在の環境情報は、日射量などの環境の現在の計測結果を示す情報であり、たとえば、記憶部１２に保存されている最新の環境情報である。また、現在の実績量情報は、施設側装置１０２による発電、電力消費または蓄電された電力の現在の計測結果を示す情報であり、たとえば、記憶部１２に保存されている最新の実績量情報である。また、現在の時刻情報は、現在時刻を示す情報であり、たとえば、記憶部１２に保存されている最新の時刻情報である。
【００６０】
なお、記憶部１２に保存されている最新の環境情報、最新の実績量情報および最新の時刻情報を、それぞれ、「現在環境情報」、「現在実績量情報」および「現在時刻情報」とも称する。
【００６１】
そして、想定量算出部１５は、たとえば、算出した相関係数と、読み出した情報のうちの現在環境情報とに基づいて、施設側装置１０２による現在の発電、電力消費または蓄電の想定量を算出する。
【００６２】
そして、想定量算出部１５は、算出した想定量を示す想定量情報を、異常判断部１６へ出力する。
【００６３】
また、想定量算出部１５は、たとえば、読み出した情報のうちの現在実績量情報および現在時刻情報を、異常判断部１６へ出力する。
【００６４】
異常判断部１６は、想定量算出部１５から受けた想定量情報の示す想定量と、現在実績量情報の示す実績量とを比較し、比較結果に基づいて施設側装置１０２の異常の判断を行う。たとえば、異常判断部１６は、想定量情報の示す想定量と現在実績量情報の示す実績量との差がしきい値Ｔｈ以上である場合、施設側装置１０２は異常であると判断する。
【００６５】
なお、異常判断部１６は、たとえば、記憶部１２に環境情報、実績量情報および時刻情報の組が新たに保存される度に、施設側装置１０２の異常の判断を行う。
【００６６】
異常判断部１６は、想定量と現在実績量情報の示す実績量との差が、ｎ回連続してしきい値Ｔｈ以上であった場合に、施設側装置１０２は異常であると判断する構成であってもよい。
【００６７】
また、異常判断部１６は、たとえば、施設側装置１０２の異常の判断を行った直近のｍ回のうちのｎ回以上、想定量と現在実績量情報の示す実績量との差がしきい値Ｔｈ以上であった場合に、施設側装置１０２は異常であると判断する構成であってもよい。
【００６８】
そして、異常判断部１６は、施設側装置１０２が異常であると判断した場合、たとえば、施設側装置１０２が異常である旨の判断結果、想定量情報、現在実績量情報および現在時刻情報を、通知部１７へ出力する。
【００６９】
通知部１７は、たとえば、施設側装置１０２が異常である旨の判断結果、想定量情報、現在実績量情報および現在時刻情報を受けると、異常であると判断された施設側装置１０２の識別情報、想定量情報の示す想定量、現在実績量情報の示す実績量、および、現在時刻情報の示す時刻を、メール、ファクシミリまたは電話を用いて管理者へ通知する。
【００７０】
（想定量の算出）
（ａ）その１
図２は、本発明の実施の形態に係る管理装置の想定量算出部により算出される想定量の一例（その１）を示す図である。
【００７１】
図２を算出して、想定量算出部１５は、たとえば、記憶部１２に保存されている情報のうち、学習期間に取得された複数の環境情報を用いて、学習期間における日射量の平均（以下、「過去日射量」とも称する）Ｓｐを算出する。
【００７２】
また、想定量算出部１５は、たとえば、記憶部１２に保存されている情報のうち、学習期間に取得された複数の実績量情報を用いて、学習期間における実績量の平均（以下、「過去実績量」とも称する）Ｖｐを算出する。
【００７３】
そして、想定量算出部１５は、算出した過去日射量Ｓｐと過去実績量Ｖｐとの相関係数、たとえば「０.７」を算出する。
【００７４】
そして、想定量算出部１５は、たとえば、記憶部１２に保存されている現在環境情報の示す日射量Ｓｎと、算出した相関係数「０.７」とを用いて、施設側装置１０２による現在の発電、電力消費または蓄電の想定量Ｖｓを算出する。
【００７５】
（ｂ）その２
図３は、本発明の実施の形態に係る管理装置の想定量算出部により算出される想定量の一例（その２）を示す図である。
【００７６】
想定量算出部１５は、「（ａ）その１」において説明した想定量の代わりに、たとえば、現在時刻が含まれる時間帯ごとに想定量を算出してもよい。
【００７７】
具体的には、想定量算出部１５は、たとえば、記憶部１２に保存されている最新の制御情報（以下、「現在制御情報」とも称する）を読み出し、読み出した現在制御情報の示す制御期間を、複数の期間に区分けする。
【００７８】
たとえば、想定量算出部１５は、制御期間が「９：００〜１８：００」である場合、当該制御期間を「９：００〜１２：００」、「１２：００〜１５：００」および「１５：００〜１８：００」の期間に区分けする。
【００７９】
そして、想定量算出部１５は、記憶部１２に保存されている情報のうち、学習期間に取得された環境情報および時刻情報を用いて、たとえば、学習期間における「９：００〜１２：００」の日射量の平均を、朝の時間帯の過去日射量Ｓｐ１１として算出する。
【００８０】
また、想定量算出部１５は、学習期間における「１２：００〜１５：００」の日射量の平均を、昼の時間帯の過去日射量Ｓｐ１２として算出する。また、想定量算出部１５は、学習期間における「１５：００〜１８：００」の日射量の平均を、夕方の時間帯の過去日射量Ｓｐ１３として算出する。
【００８１】
また、想定量算出部１５は、記憶部１２に保存されている情報のうち、学習期間に取得された実績量情報および時刻情報を用いて、たとえば、学習期間における「９：００〜１２：００」の実績量の平均を、朝の時間帯の過去実績量Ｖｐ１１として算出する。
【００８２】
また、想定量算出部１５は、学習期間における「１２：００〜１５：００」の実績量の平均を、昼の時間帯の過去実績量Ｖｐ１２として算出する。また、想定量算出部１５は、学習期間における「１５：００〜１８：００」の実績量の平均を、夕方の時間帯の過去実績量Ｖｐ１３として算出する。
【００８３】
そして、想定量算出部１５は、算出した過去日射量Ｓｐ１１，Ｓｐ１２，Ｓｐ１３および過去実績量Ｖｐ１１，Ｖｐ１２，Ｖｐ１３を用いて、各時間帯の過去日射量と過去実績量との相関係数を算出する。たとえば、算出された各時間帯の相関係数は、「０．５」、「０.５５」および「０.６」である。
【００８４】
また、想定量算出部１５は、記憶部１２に保存されている現在環境情報の示す日射量Ｓｎと、算出した相関係数とを用いて、たとえば、現在時刻が含まれる時間帯ごとに想定量を算出する。
【００８５】
たとえば、想定量算出部１５は、現在時刻が朝の時間帯である「９：００〜１２：００」に含まれる場合、相関係数「０.５」および現在の日射量Ｓｎを用いて、想定量Ｖｓ１１を算出する。また、想定量算出部１５は、現在時刻が昼の時間帯である「１２：００〜１５：００」に含まれる場合、相関係数「０.５５」および現在の日射量Ｓｎを用いて、想定量Ｖｓ１２を算出する。また、想定量算出部１５は、現在時刻が夕方の時間帯である「１５：００〜１８：００」に含まれる場合、相関係数「０.６」および現在の日射量Ｓｎを用いて、想定量Ｖｓ１３を算出する。
【００８６】
（ｃ）その３
図４は、本発明の実施の形態に係る管理装置の想定量算出部により算出される想定量の一例（その３）を示す図である。
【００８７】
想定量算出部１５は、「（ａ）その１」および「（ｂ）その２」において説明した想定量の代わりに、たとえば、制御情報の示す制御レベルごとに想定量を算出してもよい。
【００８８】
具体的には、想定量算出部１５は、たとえば、記憶部１２に保存されている情報のうち、学習期間に取得された制御情報を読み出し、読み出した制御情報の示す学習期間における制御期間および制御レベルを確認する。ここでは、たとえば、学習期間における制御期間が複数あり、各制御期間の制御レベルが「７５％」、「５０％」または「２５％」のいずれかであったとする。
【００８９】
また、想定量算出部１５は、記憶部１２に保存されている情報のうち、学習期間に取得された環境情報、実績量情報および時刻情報の組を読み出す。
【００９０】
そして、想定量算出部１５は、たとえば、読み出した組の時刻情報の示す時刻が、学習期間におけるいずれかの制御期間に含まれる場合、当該制御期間の制御レベルを、読み出した組に対応づける。
【００９１】
具体的には、学習期間における制御期間がＴ１，Ｔ２，・・・であり、各制御期間の制御レベルが、たとえば、「２５％」，「５０％」，・・・であるとする。
【００９２】
このような場合であって、想定量算出部１５は、読み出した組Ｇ１の時刻情報の時刻が制御期間Ｔ１に含まれる場合、組Ｇ１に制御レベル「２５％」を対応づける。また、想定量算出部１５は、読み出した組Ｇ２の時刻情報の時刻が制御期間Ｔ２に含まれる場合、組Ｇ２に制御レベル「５０％」を対応づける。このようにして、読み出された組には、それぞれ、制御レベルが対応づけられる。
【００９３】
そして、想定量算出部１５は、このようにして制御レベルと対応づけた複数の組を、対応する制御レベルごとに分類する。
【００９４】
そして、想定量算出部１５は、たとえば、制御レベル「７５％」に対応する複数の組にそれぞれ含まれる環境情報を用いて、各環境情報の示す日射量の平均を、制御レベル「７５％」に対応する過去日射量Ｓｐ２１として算出する。具体的には、制御レベル「７５％」に対応する組として組Ｇ３，Ｇ４，Ｇ５がある場合、組Ｇ３に含まれる環境情報の示す日射量と、組Ｇ４に含まれる環境情報の示す日射量と、組Ｇ５に含まれる環境情報の示す日射量との平均を、過去日射量Ｓｐ２１として算出する。
【００９５】
また、想定量算出部１５は、たとえば、制御レベル「７５％」の場合と同様に、制御レベル「５０％」に対応する複数の組にそれぞれ含まれる環境情報を用いて、各環境情報の示す日射量の平均を、制御レベル「５０％」に対応する過去日射量Ｓｐ２２として算出する。
【００９６】
また、想定量算出部１５は、たとえば、制御レベル「７５％」の場合と同様に、制御レベル「２５％」に対応する複数の組にそれぞれ含まれる環境情報を用いて、各環境情報の示す日射量の平均を、制御レベル「２５％」に対応する過去日射量Ｓｐ２３として算出する。
【００９７】
また、想定量算出部１５は、たとえば、制御レベル「７５％」に対応する複数の組にそれぞれ含まれる実績量情報を用いて、各実績量情報の示す実績量の平均を、制御レベル「７５％」に対応する過去実績量Ｖｐ２１として算出する。具体的には、制御レベル「７５％」に対応する組として組Ｇ３，Ｇ４，Ｇ５がある場合、組Ｇ３に含まれる実績量情報の示す実績量と、組Ｇ４に含まれる実績量情報の示す日射量と、組Ｇ５に含まれる実績量情報の示す実績量との平均を、過去実績量Ｖｐ２１として算出する。
【００９８】
また、想定量算出部１５は、たとえば、制御レベル「７５％」の場合と同様に、制御レベル「５０％」に対応する複数の組にそれぞれ含まれる実績量情報を用いて、各実績量情報の示す実績量の平均を、制御レベル「５０％」に対応する過去実績量Ｖｐ２２として算出する。
【００９９】
また、想定量算出部１５は、たとえば、制御レベル「７５％」の場合と同様に、制御レベル「２５％」に対応する複数の組にそれぞれ含まれる実績量情報を用いて、各実績量情報の示す実績量の平均を、制御レベル「２５％」に対応する過去実績量Ｖｐ２３として算出する。
【０１００】
そして、想定量算出部１５は、算出した過去日射量Ｓｐ２１，Ｓｐ２２，Ｓｐ２３および過去実績量Ｖｐ２１，Ｖｐ２２，Ｖｐ２３を用いて、たとえば、過去日射量と過去実績量との相関係数を制御レベルごとに算出する。たとえば、算出された相関係数は、制御レベル「７５％」に対しては「０.５」であり、制御レベル「５０％」に対しては「０.８」であり、制御レベル「２５％」に対しては「０.９」である。
【０１０１】
また、想定量算出部１５は、記憶部１２に保存されている現在環境情報の示す現在の日射量Ｓｎと、記憶部１２に保存されている現在制御情報の示す制御レベルと、算出した相関係数とを用いて、たとえば、現在の制御期間の制御レベルごとに想定量を算出する。
【０１０２】
すなわち、想定量算出部１５は、現在の制御期間の制御レベルが「７５％」である場合、相関係数「０.５」および現在の日射量Ｓｎを用いて、想定量Ｖｓ２１を算出する。また、想定量算出部１５は、現在の制御期間の制御レベルが「５０％」である場合、相関係数「０.８」および現在の日射量Ｓｎを用いて、想定量Ｖｓ２２を算出する。また、想定量算出部１５は、現在の制御期間の制御レベルが「２５％」である場合、相関係数「０.９」および現在の日射量Ｓｎを用いて、想定量Ｖｓ２３を算出する。
【０１０３】
（ｄ）その４
図５は、本発明の実施の形態に係る管理装置の想定量算出部により算出される想定量の一例（その４）を示す図である。
【０１０４】
想定量算出部１５は、「（ａ）その１」、「（ｂ）その２」および「（ｃ）その３」において説明した想定量の代わりに、たとえば、制御対象である施設側装置１０２に設けられたＰＣＳ（Ｐｏｗｅｒ  Ｃｏｎｄｉｔｉｏｎｉｎｇ  Ｓｙｓｔｅｍ）のソフトウェアのバージョン（以下、単に「施設側装置１０２のソフトウェアのバージョン」と称する。）ごとに想定量を算出してもよい。
【０１０５】
ここでは、管理装置１０１は、複数の施設側装置１０２の管理を行うこととする。また、記憶部１２に保存されている制御情報には、制御対象である施設側装置１０２の各々のソフトウェアのバージョンを示す情報が含まれているとする。
【０１０６】
具体的には、想定量算出部１５は、記憶部１２に保存されている情報のうち、学習期間に取得された制御情報を読み出し、読み出した制御情報の示す学習期間における制御期間および施設側装置１０２のソフトウェアのバージョンを確認する。ここでは、たとえば、学習期間において制御が行われた施設側装置１０２のソフトウェアのバージョンは、「１」または「２」のいずれかであったとする。
【０１０７】
また、想定量算出部１５は、記憶部１２に保存されている情報のうち、学習期間に取得された環境情報、実績量情報および時刻情報の組を読み出す。
【０１０８】
そして、想定量算出部１５は、たとえば、読み出した組の時刻情報の示す時刻が、学習期間における制御期間に含まれる場合、当該制御期間の制御対象である施設側装置１０２のソフトウェアのバージョンを、読み出した組に対応づける。
【０１０９】
具体的には、学習期間における制御期間がＴ１，Ｔ２，・・・であり、各制御期間の制御対象である施設側装置１０２のソフトウェアのバージョンが、たとえば、「１」，「２」，・・・であるとする。
【０１１０】
このような場合であって、想定量算出部１５は、読み出した組Ｇ１の時刻情報の時刻が制御期間Ｔ１に含まれる場合、組Ｇ１にソフトウェアのバージョン「１」を対応づける。また、想定量算出部１５は、読み出した組Ｇ２の時刻情報の時刻が制御期間Ｔ２に含まれる場合、組Ｇ２にソフトウェアのバージョン「２」を対応づける。このようにして、読み出された組には、それぞれ、ソフトウェアのバージョンが対応づけられる。
【０１１１】
そして、想定量算出部１５は、このようにしてソフトウェアのバージョンと対応づけた複数の組を、対応するソフトウェアのバージョンごとに分類する。
【０１１２】
そして、想定量算出部１５は、たとえば、ソフトウェアのバージョン「１」に対応する複数の環境情報を用いて、各環境情報の示す日射量の平均を、ソフトウェアのバージョン「１」に対応する過去日射量Ｓｐ３１として算出する。
【０１１３】
また、想定量算出部１５は、たとえば、ソフトウェアのバージョン「２」に対応する複数の環境情報を用いて、各環境情報の示す日射量の平均を、ソフトウェアのバージョン「２」に対応する過去日射量Ｓｐ３２として算出する。
【０１１４】
また、想定量算出部１５は、たとえば、ソフトウェアのバージョン「１」に対応する複数の実績量情報を用いて、各実績量情報の示す実績量の平均を、ソフトウェアのバージョン「１」に対応する過去実績量Ｖｐ３１として算出する。
【０１１５】
また、想定量算出部１５は、たとえば、ソフトウェアのバージョン「２」に対応する複数の実績量情報を用いて、各実績量情報の示す実績量の平均を、ソフトウェアのバージョン「２」に対応する過去実績量Ｖｐ３２として算出する。
【０１１６】
そして、想定量算出部１５は、算出した過去日射量Ｓｐ４１，Ｓｐ４２および過去実績量Ｖｐ４１，Ｖｐ４２を用いて、たとえば、過去日射量と過去実績量との相関係数をソフトウェアのバージョンごとに算出する。たとえば、算出された相関係数は、ソフトウェアのバージョン「１」に対しては「０.６」であり、ソフトウェアのバージョン「２」に対しては「０.７」である。
【０１１７】
また、想定量算出部１５は、記憶部１２に保存されている現在制御情報を読み出して、現在の制御対象である施設側装置１０２のソフトウェアのバージョンを確認する。
【０１１８】
そして、想定量算出部１５は、記憶部１２に保存されている現在環境情報の示す現在の日射量Ｓｎと、現在の制御対象のソフトウェアのバージョンとを用いて、ソフトウェアのバージョンごとに想定量を算出する。
【０１１９】
すなわち、想定量算出部１５は、現在の制御対象のソフトウェアのバージョンが「１」である場合、相関係数「０.６」および現在の日射量Ｓｎを用いて、想定量Ｖｓ３１を算出する。また、想定量算出部１５は、現在の制御対象のソフトウェアのバージョンが「２」である場合、相関係数「０.７」および現在の日射量Ｓｎを用いて、想定量Ｖｓ３２を算出する。
【０１２０】
なお、想定量算出部１５は、「（ａ）その１」、「（ｂ）その２」、「（ｃ）その３」および「（ｄ）その４」においてそれぞれ説明した算出方法を組み合わせて、想定量を算出してもよい。たとえば、想定量算出部１５は、現在の制御期間の制御レベルごとの想定量であって、現在時刻の含まれる時間帯ごとの想定量を算出してもよい。
【０１２１】
（しきい値の算出）
図６は、本発明の実施の形態に係る管理装置の異常判断部により算出されるしきい値の一例を示す図である。
【０１２２】
図６を参照して、異常判断部１６は、たとえば、記憶部１２に保存されている情報のうち、学習期間に取得された実績量情報および時刻情報を用いて、学習期間における各日にちの朝の時間帯「９：００〜１２：００」、昼の時間帯「１２：００〜１５：００」、および、夕方の時間帯「１５：００〜１８：００」のそれぞれの実績量の平均を算出する。
【０１２３】
たとえば、学習期間の１日目では、「９：００〜１２：００」における実績量の平均が「Ｖｐ１１１」であり、「１２：００〜１５：００」における実績量の平均が「Ｖｐ１１２」であり、「１５：００〜１８：００」における実績量の平均が「Ｖｐ１１３」である。
【０１２４】
また、学習期間の２日目では、「９：００〜１２：００」における実績量の平均が「Ｖｐ１２１」であり、「１２：００〜１５：００」における実績量の平均が「Ｖｐ１２２」であり、「１５：００〜１８：００」における実績量の平均が「Ｖｐ１２３」である。
【０１２５】
また、異常判断部１６は、たとえば、想定量算出部１５から想定量情報を受けると、当該想定量情報の示す想定量と、算出した時間帯ごとの実績量の平均との差を算出する。
【０１２６】
具体的には、現在時刻が朝の時間帯である「９：００〜１２：００」に含まれ、当該時間帯における想定量が「Ｖｓ１１１」である場合、異常判断部１６は、各日にちの「９：００〜１２：００」における実績量の平均Ｖｐ１１１，Ｖｐ１２１，Ｖｐ１３１，・・・と、想定量Ｖｓ１１１との差をそれぞれ算出する。そして、異常判断部１６は、算出した複数の差のうちの最大値Ｄ１を特定する。
【０１２７】
また、たとえば、現在時刻が昼の時間帯である「１２：００〜１５：００」に含まれ、当該時間帯における想定量が「Ｖｓ１１２」である場合、異常判断部１６は、各日にちの「１２：００〜１５：００」における実績量の平均Ｖｐ１１２，Ｖｐ１２２，Ｖｐ１３２，・・・と、想定量Ｖｓ１１２との差をそれぞれ算出する。そして、異常判断部１６は、算出した複数の差のうちの最大値Ｄ２を特定する。
【０１２８】
そして、異常判断部１６は、たとえば、特定した最大値「Ｄ１」または「Ｄ２」のＸ倍を、しきい値Ｔｈとして算出する。Ｘは、管理装置１０１の設定パラメータであり、たとえば、３である。このようにして、異常判断部１６は、たとえば現在時刻が含まれる時間帯ごとのしきい値Ｔｈを算出する。
【０１２９】
なお、異常判断部１６は、現在時刻が含まれる時間帯ごとのしきい値Ｔｈの代わりに、たとえば、施設側装置１０２の制御レベルごとのしきい値Ｔｈ、または、制御対象である施設側装置１０２のソフトウェアのバージョンごとのしきい値Ｔｈを算出してもよい。また、異常判断部１６は、環境情報の取得元が施設側装置１０２であるかインターネット上のウェブサイトであるかによって、異なるしきい値Ｔｈを算出してもよい。
【０１３０】
また、異常判断部１６は、たとえば、現在時刻が含まれる時間帯、施設側装置１０２の制御レベル、制御対象である施設側装置１０２のソフトウェアのバージョン、または、環境情報の取得元が施設側装置１０２であるかインターネット上のウェブサイトであるかに応じて、Ｘを異なる値にしてもよい。
【０１３１】
［施設側装置］
再び図１を参照して、施設側装置１０２は、制御情報受信部２１と、制御部２２と、動作部２３と、電力入出力部２４と、計測情報送信部２５と、計測情報収集部２６と、環境情報計測部２７とを含む。
【０１３２】
制御情報受信部２１は、管理装置１０１から通信網１０３経由で制御情報を受信し、受信した制御情報を制御部２２へ出力する。
【０１３３】
制御部２２は、制御情報受信部２１から制御情報を受けると、当該制御情報の内容に基づいて動作部２３を制御する。
【０１３４】
動作部２３は、たとえば、施設側装置１０２が発電装置である場合は発電部であり、制御部２２による制御に従って発電した電力を電力入出力部２４経由で電力網へ出力する。
【０１３５】
また、動作部２３は、たとえば、施設側装置１０２が負荷装置である場合は負荷部であり、電力入出力部２４経由で電力網から受けた電力を用いて動作する。
【０１３６】
また、動作部２３は、たとえば、施設側装置１０２が蓄電装置である場合は蓄電部であり、電力入出力部２４経由で電力網から受けた電力を蓄電する。
【０１３７】
電力入出力部２４は、たとえば、動作部２３から出力された電力または動作部２３へ出力された電力を計測する。
【０１３８】
環境情報計測部２７は、たとえば、施設側装置１０２の周辺の温度、湿度、日射量および天候などの環境を計測する。
【０１３９】
計測情報収集部２６は、たとえば１分ごとに、電力入出力部２４による電力の計測結果および環境情報計測部２７による環境の計測結果を取得し、取得したこれらの計測結果を対応づける。そして、計測情報収集部２６は、たとえば、１分ごとに取得したこれらの計測結果を１時間分まとめて、計測情報送信部２５へ出力する。
【０１４０】
計測情報送信部２５は、計測情報収集部２６から、たとえば１時間分の計測結果を受けると、当該計測結果を示す情報、すなわち、電力の計測結果を示す実績量情報および環境の計測結果を示す環境情報を、通信網１０３経由で管理装置１０１へ送信する。
【０１４１】
＜動作＞
次に、本発明の実施の形態に係る管理装置１０１の動作について説明する。
【０１４２】
管理システム２０１における各装置は、コンピュータを備え、当該コンピュータにおけるＣＰＵ等の演算処理部は、以下のフローチャートの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【０１４３】
［全体の動作手順］
図７は、本発明の実施の形態に係る管理装置による全体の動作手順を定めたフローチャートである。
【０１４４】
ここでは、管理装置１０１は、事前の学習期間において、実績量情報、環境情報、時刻情報および制御情報を取得していることとする。
【０１４５】
図７を参照して、まず、管理装置１０１は、たとえば管理者による制御指示の入力を受け付け、受け付けた制御指示に基づいて制御情報を作成する（ステップＳ１１）。
【０１４６】
次に、管理装置１０１は、作成した制御情報を施設側装置１０２へ送信する（ステップＳ１２）。これにより、当該制御情報の示す制御期間において、施設側装置１０２による発電、電力消費または蓄電の制御が行われる。そして、施設側装置１０２は、制御期間において、たとえば定期的に環境情報および実績量情報を管理装置１０１へ送信する。
【０１４７】
次に、管理装置１０１は、たとえば、施設側装置１０２から実績量情報および環境情報を受信する度に施設側装置１０２の異常を判断する、異常判断処理を行う（ステップＳ１３）。
【０１４８】
［異常判断処理の動作手順］
図８は、本発明の実施の形態に係る管理装置による異常判断処理の動作手順を定めたフローチャートである。
【０１４９】
まず、管理装置１０１は、施設側装置１０２から実績量情報および環境情報を受信する（ステップＳ２１）。
【０１５０】
次に、管理装置１０１は、学習期間に取得された実績量情報および環境情報を用いて、実績量と環境との相関係数を算出する（ステップＳ２２）。なお、管理装置１０１は、異常判断処理を行う前に相関係数を算出してもよい。
【０１５１】
次に、管理装置１０１は、算出した相関係数と、ステップＳ２１において施設側装置１０２から受信した環境情報の示す環境とに基づいて、施設側装置１０２による発電、電力消費または蓄電の想定量を算出する（ステップＳ２３）。
【０１５２】
次に、管理装置１０１は、たとえば、学習期間に取得された複数の実績量情報のそれぞれが示す実績量と、算出した想定量との差をそれぞれ算出し、算出した複数の差のうちの最大値を特定する。そして、管理装置１０１は、特定した最大値のＸ倍をしきい値Ｔｈとして算出する（ステップＳ２４）。
【０１５３】
次に、管理装置１０１は、算出した想定量と、ステップＳ２１において施設側装置１０２から受信した実績量情報の示す実績量との差がしきい値Ｔｈ以上であるか否かを確認する（ステップＳ２５）。
【０１５４】
そして、管理装置１０１は、想定量と実績量との差がしきい値Ｔｈ未満である場合（ステップＳ２５において「ＮＯ」）、管理者への通知を行わない。
【０１５５】
一方、管理装置１０１は、想定量と実績量との差がしきい値Ｔｈ以上である場合（ステップＳ２５において「ＹＥＳ」）、たとえば、管理者へ施設側装置１０２が異常である旨の通知を行う（ステップＳ２６）。
【０１５６】
＜変形例＞
上述した本発明の実施の形態に係る管理システム２０１の管理装置１０１は、制御期間における施設側装置１０２の異常の判断を行う。しかしながら、このような構成に限定されず、管理装置１０１は、たとえば、制御期間および制御期間以外の期間の少なくともいずれか一方の期間において、施設側装置１０２の異常の判断を行う構成であってもよい。
【０１５７】
また、施設側装置１０２は、制御期間であるか否かに関わらず、たとえば定期的に環境情報および実績量情報を管理装置１０１へ送信し、管理装置１０１は、施設側装置１０２から環境情報および実績量情報を受信する度に、施設側装置１０２の異常の判断を行ってもよい。また、施設側装置１０２は、制御期間であるか否かに関わらず、任意の期間において、施設側装置１０２の異常の判断を行う構成であってもよい。
【０１５８】
また、管理装置１０１は、環境情報および実績量情報に基づいて施設側装置１０２の異常の判断を行う装置であればよく、たとえば、制御情報の作成および送信を行わない構成であってもよい。
【０１５９】
ところで、発電装置、蓄電池または負荷装置などの装置に対する制御指示が通知された場合であっても、装置の故障などの原因により、当該制御指示に沿った結果が得られないことがある。そして、このように、制御指示に沿った結果が得られなかったことを、たとえば管理者側のサーバが検出できない場合、その原因を取り除くまでに長期間経過してしまうことがある。
【０１６０】
また、当該制御指示に沿った結果が得られなかったことを上記サーバが検出できた場合であっても、装置の周辺の環境、制御のレベル、装置の故障または外部サーバからの不正なアクセスなど種々の原因が考えられるため、適切な対応ができないことがある。
【０１６１】
これに対して、本発明の実施の形態に係る管理装置１０１では、情報取得部１４は、施設の環境に関する環境情報、および施設に設けられた施設側装置１０２による発電、電力消費または蓄電の実績量を示す実績量情報を取得する。また、想定量算出部１５は、情報取得部１４により取得された過去の環境情報、過去の実績量情報および現在の環境情報に基づいて、施設側装置１０２の発電、電力消費または蓄電の想定量を算出する。また、異常判断部１６は、情報取得部１４により取得された現在の実績量情報の示す実績量と、想定量算出部１５により算出された想定量とを比較し、比較結果に基づいて施設側装置１０２の異常の判断を行う。
【０１６２】
ここで、環境を考慮せずに施設側装置１０２の異常を判断する場合、施設側装置１０２に異常が生じていないにも関わらず、日射量などの環境が測定値に大きく影響して、施設側装置１０２に異常が生じていると判断されてしまう可能性がある。これに対して、上記のような構成により、たとえば環境による影響は異常として判断しないことで、施設側装置の故障または外部サーバからの不正なアクセスなどの異常をより正確に判断することができる。
【０１６３】
また、本発明の実施の形態に係る管理装置１０１では、異常判断部１６は、現在実績量情報の示す実績量と、想定量との差がしきい値Ｔｈ以上である場合、施設側装置１０２が異常であると判断する。また、しきい値Ｔｈは、過去の実績量情報の示す実績量に基づく値である。
【０１６４】
このような構成により、たとえば、過去の実績量と想定量との差を基準とした適切な値を、しきい値Ｔｈとすることができる。
【０１６５】
また、本発明の実施の形態に係る管理装置１０１では、しきい値Ｔｈは、現在時刻が含まれる時間帯ごとに設定される。
【０１６６】
このような構成により、時間帯により変化する環境を考慮した、より正確な異常判断を行うことができる。
【０１６７】
また、本発明の実施の形態に係る管理装置１０１では、制御情報処理部１１は、施設側装置１０２による発電、電力消費または蓄電の制御に関する制御情報を作成する。また、しきい値Ｔｈは、制御情報処理部１１により作成された制御情報の示す制御レベルごとに設定される。
【０１６８】
このような構成により、たとえば制御レベルによる影響は異常として判断しないことで、施設側装置１０２の異常をより正確に判断することができる。
【０１６９】
また、本発明の実施の形態に係る管理装置１０１では、想定量は、現在時刻が含まれる時間帯に応じた値に算出される。
【０１７０】
このような構成により、時間帯により変化する環境を考慮した適切な値を、想定量として算出することができる。
【０１７１】
また、本発明の実施の形態に係る管理装置１０１では、想定量は、制御情報処理部１１により作成された制御情報の示す制御レベルに応じた値に算出される。
【０１７２】
このような構成により、制御レベルを考慮した適切な値を、想定量として算出することができる。
【０１７３】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１７４】
以上の説明は、以下に付記する特徴を含む。
【０１７５】
［付記１］
施設の環境に関する環境情報、および前記施設に設けられた施設側装置による発電、電力消費または蓄電の実績量を示す実績量情報を取得する取得部と、
前記取得部により取得された、過去の前記環境情報、過去の前記実績量情報および現在の前記環境情報に基づいて、前記施設側装置の発電、電力消費または蓄電の想定量を算出する想定量算出部と、
前記取得部により取得された現在の前記実績量情報の示す前記実績量と、前記想定量算出部により算出された前記想定量とを比較し、比較結果に基づいて前記施設側装置の異常の判断を行う異常判断部とを備える管理装置であって、
前記環境情報は、前記施設側装置の周辺の温度、湿度、日射量および天候のうちの少なくとも１つを示し、
前記施設側装置は、発電装置、負荷装置または蓄電装置であり、
前記管理装置は、さらに、
前記施設側装置による発電、電力消費または蓄電の制御に関する制御情報を作成し、作成した前記制御情報を前記施設側装置へ送信し、
前記制御情報は、前記施設側装置の前記制御が行われる期間である制御期間を示し、
前記取得部は、前記制御期間および前記制御期間以外の期間の少なくともいずれか一方の期間に、前記環境情報および前記実績量情報を定期的に取得し、
前記想定量算出部は、前記取得部により取得された過去の前記環境情報および過去の前記実績量情報に基づいて、前記環境と前記実績量との相関を示す相関情報を作成し、作成した前記相関情報および現在の前記環境情報に基づいて、前記想定量を算出し、
前記異常判断部は、前記取得部により前記環境情報および前記実績量情報が取得される度に、前記異常の判断を行う、管理装置。
【符号の説明】
【０１７６】
１１  制御情報処理部
１２  記憶部
１３  制御情報送信部
１４  情報取得部
１５  想定量算出部
１６  異常判断部
１７  通知部
２１  制御情報受信部
２２  制御部
２３  動作部
２４  電力入出力部
２５  計測情報送信部
２６  計測情報収集部
２７  環境情報計測部
１０１  管理装置
【図１】
2018038205.tif 000003
【図２】
2018038205.tif 000004
【図３】
2018038205.tif 000005
【図４】
2018038205.tif 000006
【図５】
2018038205.tif 000007
【図６】
2018038205.tif 000008
【図７】
2018038205.tif 000009
【図８】
2018038205.tif 000010